(57)【特許請求の範囲】
【請求項１】
表面から裏面に達する貫通孔を有する配線基板と、
表面に電極を備え、裏面が前記貫通孔内に位置するように配置された半導体素子と、
前記電極と前記配線基板の配線とを接続する導体と、
前記半導体素子の表面を封止し、かつ、前記半導体素子の側面と前記貫通孔の内壁面とを固着する樹脂とを有し、
前記半導体素子の前記裏面と前記配線基板の裏面とが、高さ方向において５０μｍ以上離間し、
前記導体は導電性ペーストよりなることを特徴とする半導体装置。
【請求項２】
表面に電極を有する半導体素子と、
表面から裏面に達する貫通孔を有する配線基板と、
前記電極と前記配線基板表面の配線とを接続する導体と、
前記半導体素子の表面を封止し、前記半導体素子の側面と前記貫通孔の内壁面とを固着する樹脂とを有し、
前記導体は導電性ペーストよりなることを特徴とする半導体装置。
【請求項３】
表面に電極を有する第１の半導体素子と、
表面から裏面に達する貫通孔を有する配線基板と、
前記第１の半導体素子の電極と前記配線基板表面の配線とを接続する第１の導体と、
前記第１の半導体素子と略同一形状であり、表面に電極を有する第２の半導体素子と、
前記第２の半導体素子の電極と前記配線基板表面の配線とを接続する第２の導電体と、
前記第１及び第２の半導体素子の表面を封止し、前記第１及び第２の半導体素子の側面と前記貫通孔の内壁面とを各々固着する樹脂とを有し、
前記第１及び第２の導体は導電性ペーストよりなることを特徴とする半導体装置。
【請求項４】
表面から裏面に達する貫通孔を有する配線基板の前記裏面に、前記貫通孔を覆うように接着テープを貼付ける工程と、
表面に電極を有する半導体素子を前記貫通孔に収納し、前記貫通孔に露出した前記接着テープに前記半導体素子を固着する工程と、
凸部を有する台座を用いて、前記凸部を前記貫通孔に挿入して前記半導体素子を前記配線基板の裏面より所定距離だけ押上げる工程と、
前記電極と前記配線基板の配線とを導体で接続する工程と、
前記半導体素子及び前記導体とを樹脂で封止するとともに、前記半導体素子の側面と前記貫通孔の側面とを前記樹脂で固着する工程と、
前記樹脂で封止し、固着する工程後、前記配線基板の裏面に貼付けられた前記接着テープを除去する工程とを有することを特徴とする半導体装置の製造方法。
【請求項５】
表面から裏面に達する貫通孔を有する配線基板の前記裏面に、前記貫通孔を覆うように接着テープを貼付ける工程と、
表面に電極を有する半導体素子を前記貫通孔に収納し、前記貫通孔に露出した前記接着テープに前記半導体素子を固着する工程と、
凸部を有する台座を用いて、前記凸部を前記貫通孔に挿入して前記半導体素子を前記配線基板の裏面より所定距離だけ押上げる工程と、
前記電極と前記配線基板の配線とを導体で接続する工程と、
前記半導体素子及び前記導体とを樹脂で封止するとともに、前記半導体素子の側面と前記貫通孔の側面とを前記樹脂で固着する工程と、
前記樹脂で封止し、固着する工程後、前記配線基板の裏面に貼付けられた前記接着テープを除去する工程とを有し、
前記電極と前記配線基板とを導体で接続する工程は、導電性ペーストが充填されたノズルにより塗布することを特徴とする半導体装置の製造方法。
【請求項６】
表面から裏面に達する貫通孔を有する配線基板の前記裏面に、前記貫通孔を覆うように接着テープを貼付ける工程と、
表面に電極を有する半導体素子を前記貫通孔に収納し、前記貫通孔に露出した前記接着テープに前記半導体素子を固着する工程と、
凸部を有する台座を用いて、前記凸部を前記貫通孔に挿入して前記半導体素子を前記配線基板の裏面より所定距離だけ押上げる工程と、
前記電極と前記配線基板の配線とを導体で接続する工程と、
前記半導体素子及び前記導体とを樹脂で封止するとともに、前記半導体素子の側面と前記貫通孔の側面とを前記樹脂で固着する工程と、
前記樹脂で封止し、固着する工程後、前記配線基板の裏面に貼付けられた前記接着テープを除去する工程とを有し、
前記電極と前記配線基板とを導体で接続する工程は、
前記電極と前記配線基板とを接続する前記導体のパターンが開孔部として形成されたマスクを所定の位置に配置する工程と、
前記マスクの開孔部に導電性ペーストを塗布する工程とからなることを特徴とする半導体装置の製造方法。
【請求項７】
表面から裏面に達する貫通孔を有する配線基板の前記裏面に、前記貫通孔を覆うように接着テープを貼付ける工程と、
表面に電極を有する半導体素子を前記貫通孔に収納し、前記貫通孔に露出した前記接着テープに前記半導体素子を固着する工程と、
凸部を有する台座を用いて、前記凸部を前記貫通孔に挿入して前記半導体素子を前記配線基板の裏面より所定距離だけ押上げる工程と、
前記電極と前記配線基板の配線とを導体で接続する工程と、
前記半導体素子及び前記導体とを樹脂で封止するとともに、前記半導体素子の側面と前記貫通孔の側面とを前記樹脂で固着する工程と、
前記樹脂で封止し、固着する工程後、前記配線基板の裏面に貼付けられた前記接着テープを除去する工程とを有し、
前記電極と前記配線基板とを導体で接続する工程は、導電性ペーストよりなる前記導体のパターンを転写することにより行なうことを特徴とする半導体装置の製造方法。
【請求項８】
凸部を有し、前記凸部の主面に空気孔が設けられた台座を準備し、表面から裏面に達する貫通孔を有する配線基板を前記貫通孔が前記凸部に嵌合するように台座上に配置する工程と、
表面に電極を有する半導体素子を前記貫通孔内の前記凸部主面上に配置する工程と、
前記空気孔から吸引することにより、前記半導体素子を前記凸部主面上に固定する工程と、
前記半導体素子を前記凸部主面上に固定する工程後、前記電極と前記配線基板の配線とを導体で接続する工程と、
前記半導体素子及び前記導体とを樹脂で封止するとともに、前記半導体素子の側面と前記貫通孔の側面とを前記樹脂で固着する工程とを有し、
前記電極と前記配線基板とを導体で接続する工程は、導電性ペーストが充填されたノズルにより塗布することを特徴とする半導体装置の製造方法。
【請求項９】
凸部を有し、前記凸部の主面に空気孔が設けられた台座を準備し、表面から裏面に達する貫通孔を有する配線基板を前記貫通孔が前記凸部に嵌合するように台座上に配置する工程と、
表面に電極を有する半導体素子を前記貫通孔内の前記凸部主面上に配置する工程と、
前記空気孔から吸引することにより、前記半導体素子を前記凸部主面上に固定する工程と、
前記半導体素子を前記凸部主面上に固定する工程後、前記電極と前記配線基板の配線とを導体で接続する工程と、
前記半導体素子及び前記導体とを樹脂で封止するとともに、前記半導体素子の側面と前記貫通孔の側面とを前記樹脂で固着する工程とを有し、
前記電極と前記配線基板とを導体で接続する工程は、
前記電極と前記配線基板とを接続する前記導体のパターンが開孔部として形成されたマスクを所定の位置に配置する工程と、
前記マスクの開孔部に導電性ペーストを塗布する工程とからなることを特徴とする半導体装置の製造方法。
【請求項１０】
凸部を有し、前記凸部の主面に空気孔が設けられた台座を準備し、表面から裏面に達する貫通孔を有する配線基板を前記貫通孔が前記凸部に嵌合するように台座上に配置する工程と、
表面に電極を有する半導体素子を前記貫通孔内の前記凸部主面上に配置する工程と、
前記空気孔から吸引することにより、前記半導体素子を前記凸部主面上に固定する工程と、
前記半導体素子を前記凸部主面上に固定する工程後、前記電極と前記配線基板の配線とを導体で接続する工程と、
前記半導体素子及び前記導体とを樹脂で封止するとともに、前記半導体素子の側面と前記貫通孔の側面とを前記樹脂で固着する工程とを有し、
前記電極と前記配線基板とを導体で接続する工程は、導電性ペーストよりなる前記導体のパターンを転写することにより行なうことを特徴とする半導体装置の製造方法。
【発明の詳細な説明】
【０００１】
【発明の属する技術分野】
本発明は、半導体装置及びその製造方法に関し、特に薄型化、高密度実装可能な半導体装置及びその製造方法に関するものである。
【０００２】
【従来の技術】
従来における半導体装置は、配線基板上に接着剤により半導体素子が固着され、半導体素子と配線基板は金属ワイヤによって電気的接続され、半導体素子と金属ワイヤを保護するために樹脂で封止されている。
【０００３】
また、その製造方法は、配線基板上に接着剤にて半導体素子を配線基板と固着し、半導体素子と配線基板とを金属ワイヤによって電気的に接続して、半導体素子と配線基板とを覆うように樹脂で封止している。
【０００４】
【発明が解決しようとする課題】
しかしながら、上記従来技術においては、以下の問題がある。
半導体素子と固着用の接着剤とが半導体装置の厚さの一部となり、半導体装置を薄型にするのが困難である。
【０００５】
また、接着剤の塗布面積は半導体素子の面積より大きい上に、半導体素子を固着時に圧力が加わるので不安定な形状で拡大するので、配線基板側での配線位置を半導体素子からある程度、例えば０．８ｍｍ以上離す必要があり、半導体装置を高密度実装するのが困難である。
【０００６】
本発明の目的は、薄型化、高密度実装可能な半導体装置を提供することにある。
【０００７】
【課題を解決するための手段】
上記目的を達成するために、本願に開示される発明のうち代表的なものを説明すると、半導体装置の構造が、表面に電極を有する半導体素子と、表面から裏面に達する貫通孔を有する配線基板と、電極と配線基板の配線とを接続する導体と、半導体素子の表面を封止し、半導体素子の側面と貫通孔の内壁面とを固着する樹脂とからなる。
【０００８】
【発明の実施の形態】
以下、本発明の実施の形態を図面を参照して説明する。
第１の実施の形態
図１は本発明の第１の実施の形態における半導体装置の断面図を示す図である。図１において、１は半導体素子、２は配線基板、３は金属ワイヤ、４は樹脂、５は金属ワイヤの高さ、６は樹脂厚、７は配線基板の裏面から半導体素子の裏面までの距離である。
【０００９】
本実施の形態の半導体装置の構造は、表面から裏面にかけて貫通孔が形成された配線基板２の貫通孔に表面に電極を有する半導体素子１が挿入され、半導体素子１の電極と配線基板２の配線とが金属ワイヤ３によって電気的に接続されている。また、樹脂４は半導体素子１と金属ワイヤ３を封止し、かつ半導体素子１と配線基板２とを固着している。樹脂４は半導体素子１の側面と配線基板３の貫通孔の内壁面との間まで入り込んでいる。
【００１０】
図１において、金属ワイヤの高さ５は１５０〜２５０μｍであるので、樹脂厚６は約１７０〜２７０μｍとなり、樹脂厚６は最大で２７０μｍである。
【００１１】
また、半導体素子１の側面と配線基板２の貫通孔の内壁面との間から樹脂４が、半導体素子１の裏面へ回り込むことを考慮して、配線基板の裏面から半導体素子の裏面までの距離７は５０μｍ以上あける必要がある。ここで、半導体素子１の裏面に回り込んだ樹脂４を除去するなら、距離７を５０μｍ以上あける必要はない。
【００１２】
以上、本実施の形態によれば、配線基板２の貫通孔に半導体素子１を挿入したので、樹脂厚６は金属ワイヤの高さ５のみにほぼ依存し、従来より樹脂厚６は小さくなり、全体として半導体装置を薄型化することができる。
【００１３】
また、配線基板２の貫通孔に半導体素子１を挿入したので、金属ワイヤ３の長さを短くすることができ、配線抵抗を低くすることもができる。
【００１４】
さらに、配線基板２の貫通孔に半導体素子１を挿入したので、半導体素子１と配線基板２との段差が少なくなるので、樹脂を充填する際に段差により未充填となることが少なくなる。
【００１５】
また、従来のように、半導体素子１と配線基板２とを固着するのに接着剤を用いていなので、配線基板２上で接着剤の面積を考慮する必要がなく、配線基板２への金属ワイヤ３の配線が半導体素子１から約０．３ｍｍの位置で行える。従って、樹脂面積を小さくすることができるので、半導体装置を小さくでき、高密度実装が行える。
【００１６】
さらに、半導体素子１と配線基板２とを固着するのに接着剤を用いないので、接着剤が熱などの衝撃より収縮して、樹脂４と配線基板２とが剥離して金属ワイヤ３が配線基板２より断線することがない。
【００１７】
本実施の形態において、半導体素子１と配線基板２とを電気的に接続するのに金属ワイヤ３を用いているが、導電配線が形成されたテープや、導線性ペーストを用いてもよい。
【００１８】
導電配線が形成されたテープを用いた場合、テープの厚みは６０〜２００μｍであるので、樹脂厚６は約８０〜２２０μｍとなり、さらに半導体装置の薄型化をはかれる。
【００１９】
導電性ペーストを用いた場合、導電性ペーストの高さは３０〜２００μｍであるので、樹脂厚６は約５０〜２２０μｍとなり、さらに半導体装置の薄型化をはかれる。また、配線基板２との接合面積が大きいので配線基板２からの剥離が生じにくくなる。
【００２０】
次に、本実施の形態における半導体装置の製造方法について説明する。
図２は第１の実施の形態における半導体装置の製造方法の一例を示す図である。図において、８は接着テープ、９は突起形状のあるステージであり、その他の図１と同様のものついては同一の符号をつけてある。
【００２１】
図２（ａ）に示すように、配線基板２の裏面には、接着層が形成された接着テープ８が貼られている。また、配線基板２の貫通孔には半導体素子１が挿入され、接着テープ８で固着されている。
【００２２】
図２（ｂ）に示すように、突起形状のあるステージ９の突起が配線基板２の貫通孔に挿入して、半導体素子１を押し上げる。このとき、半導体素子１やステージ９の寸法誤差を考慮すると、半導体素子１は配線基板３の表面より上下１５０μｍ範囲に位置する。
【００２３】
図２（ｃ）に示すように、金属ワイヤ３によって、半導体素子１の電極と配線基板２の配線との接続を行う。
【００２４】
図２（ｄ）に示すように、半導体素子１および金属ワイヤ３を覆うように樹脂４を塗布する。このとき、半導体素子１の側面と配線基板２の貫通孔の内壁面との間にも樹脂４が入り込む。
【００２５】
最後に、図２（ｅ）に示すように、配線基板２から接着テープ８及び突起形状のあるステージ９を除去する。
【００２６】
図３は第１の実施の形態における半導体装置の製造方法の他の例を示す図である。
図において、１０は突起形状のあるステージであり、その他の図１と同様のものついては同一の符号をつけてある。突起形状のあるステージ１０の突起には、空気穴が形成されている。
【００２７】
図３（ａ）に示すように、突起形状のあるステージ１０の突起が配線基板２の貫通孔に挿入されている。また、半導体素子１は配線基板２の貫通孔に挿入され、突起形状の上に位置する。このとき、半導体素子１やステージ１０の寸法誤差を考慮すると、半導体素子１は配線基板３の表面より上下１５０μｍ範囲に位置する。
【００２８】
図３（ｂ）に示すように、金属ワイヤ３によって、半導体素子１の電極と配線基板２の配線との接続を行う。このとき、突起形状に形成された空気穴に負圧をかけ、半導体素子１を突起形状のあるステージ１０に固定している。
【００２９】
図３（ｃ）に示すように、半導体素子１および金属ワイヤ３を覆うように樹脂４を塗布する。このとき、半導体素子１の側面と配線基板２の貫通孔の内壁面との間にも樹脂４が入り込む。
【００３０】
最後に、図３（ｄ）に示すように、配線基板２から突起形状のあるステージ１０を除去する。
【００３１】
以上に説明した第１の実施の形態における半導体装置の製造方法では、半導体素子１と配線基板２とを電気的に接続するのに金属ワイヤ３を用いているが、導電配線が形成されたテープや、導電性ペーストを用いてもよい。
【００３２】
以下、半導体素子１と配線基板２とを電気的に接続するのに導電性ペーストを用いる場合における導電性ペーストによる配線の形成方法について述べる。
【００３３】
図４は、導電性ペーストによる配線の形成方法の一例を示す図である。図において、１１は導電性ペーストよりなる配線、１２はノズルであり、その他の図３と同様のものついては同一の符号をつけてある。
【００３４】
図４に示すように、導電性ペーストが充填されたノズル１２で塗布することで、半導体素子１と配線基板２とを接続する配線１１を形成する。
【００３５】
図５は、導電性ペーストによる配線の形成方法の一例を示す図である。図において、１３は半導体素子と配線基板とを接続する配線のパターンが開孔部として形成されたマスク、１４はスキージであり、その他の図４と同様のものについては同一の符号をつけてある。
【００３６】
図５（ａ）に示すように。半導体素子１と配線基板２との配線を形成する位置にマスク１３の開孔部を合わせるように、配線基板２上にマスク１３を配置する。
【００３７】
次に、図５（ｂ）に示すように、マスク１３上に導電性ペーストの固まりを乗せる。
【００３８】
最後に、図５（ｃ）に示すように、スキージ１４を右から左方向（図面で矢印の方向）にマスク１３に沿って動かすことにより、マスク１３上に乗せられた導電性ペーストをマスク１３の開孔部より塗布することで、半導体素子１と配線基板２とを接続する配線１１を形成する。
【００３９】
図５に示した導電性ペーストによる配線の形成方法によれば、配線１１の高さはマスク１３の高さによってほぼ一定な高さに規定することができ、マスク１３の厚みを変更すれば、配線１１の厚みも変更できる。
【００４０】
図６は、導電性ペーストによる配線の形成方法の一例を示す図である。図において、１５は転写ローラ、１６は転写する配線となる導電性ペーストが形成された凸版であり、その他の図４と同様のものについては同一の符号をつけてある。
【００４１】
図６（ａ）に示すように、凸版１６を右から左方向（図面で矢印の方向）へ転写ローラ１５に沿って動かし、転写ローラ１５を回転させながら、転写ローラ１５の面上に配線となる導電性ペーストを転写する。
【００４２】
図６（ｂ）に示すように、半導体素子１が貫通孔内に挿入された配線基板２を凸版１６とは反対方向の左から右方向（図面で矢印の方向）へ転写ローラ１５に沿って動かす。
【００４３】
図６（ｃ）に示すように、転写ローラ１５の面上に転写された配線となる導電性ペーストを荷重を加えながら半導体素子１及び配線基板２上に転写していく。
【００４４】
図６（ｄ）に示すように、転写ローラ１５から半導体素子１及び配線基板２上に配線となる導電性ペーストが転写され、半導体素子１と配線基板２とを接続する導電性ペーストによりなる配線１１が形成される。
【００４５】
図６に示した導電性ペーストによる配線の形成方法によれば、導電性ペーストを転写ローラ１５により荷重を加えながら転写することにより、半導体素子１及び配線基板２とより安定した接合強度で配線１１を形成することができる。
【００４６】
第２の実施の形態
図７は本発明の第２の実施の形態における半導体装置の断面図を示す図である。図７において、第１の実施の形態と同様なものには同一の符号がつけてある。
【００４７】
本実施の形態の半導体装置の構造は、表面から裏面にかけて貫通孔が形成された配線基板２の貫通孔に２つの表面に電極を有する半導体素子１が挿入されている。ここで、２つの半導体素子１は電極が形成されている面と反対側の面が対向するように配線基板２の貫通孔内に挿入されている。半導体素子１の電極と配線基板２の配線とが金属ワイヤ３によってそれぞれ電気的に接続されている。また、樹脂４は半導体素子１と金属ワイヤ３をそれぞれ封止し、かつ半導体素子１と配線基板２とを固着している。樹脂４は半導体素子１の側面と配線基板３の貫通孔の内壁面との間まで入り込んでいる。
【００４８】
図７において、金属ワイヤの高さ５は１５０〜２５０μｍであるので、樹脂厚６は約１７０〜２７０μｍとなり、樹脂厚６は最大で２７０μｍである。
【００４９】
なお、半導体素子１と配線基板３との電気的接続は、第１の実施の形態と同様に導電配線が形成されたテープや、導線性ペーストを用いてもよい。また、導電性ペーストによる配線の形成方法は、第１の実施の形態で説明した通りである。
【００５０】
また、本実施の形態の半導体装置の製造方法は、まず、第１の実施の形態で説明したように、１つの半導体素子１を配線基板２の貫通孔に挿入して樹脂４より片面を封止する。次に、配線基板２を反転して、半導体素子１を配線基板２の貫通孔に挿入して、金属ワイヤ３で半導体素子１と配線基板２とを電気的に接続し、樹脂により封止する。
【００５１】
以上、本実施の形態によれば、上述した第１の実施の形態と同様に薄型化、高密度実装可能である等の効果が得られることに加えて、２つの半導体素子１を配線基板２の貫通孔内に挿入しているので、より多機能な半導体装置を実現できる。
【００５２】
【発明の効果】
以上説明したように、本発明によれば、表面から裏面にかけて貫通孔が形成された配線基板の貫通孔に半導体素子を挿入して実装したので、半導体装置を薄型化することができる。また、半導体素子と配線基板を固着するのに接着剤を用いていないので、配線基板上で接着剤の面積を考慮する必要がなく、配線基板への配線が半導体素子のより近くで行え、半導体装置の面積を小さくでき、高密度実装が行える。
【図面の簡単な説明】
【図１】本発明の第１の実施の形態における半導体装置の断面図を示す図である。
【図２】第１の実施の形態における半導体装置の製造方法の一例を示す図である。
【図３】第１の実施の形態における半導体装置の製造方法の他の例を示す図である。
【図４】導電性ペーストによる配線の形成方法の一例を示す図である。
【図５】導電性ペーストによる配線の形成方法の一例を示す図である。
【図６】導電性ペーストによる配線の形成方法の一例を示す図である。
【図７】本発明の第２の実施の形態における半導体装置の断面図を示す図である。
【符号の説明】
１  半導体素子
２  配線基板
３  金属ワイヤ
４  樹脂
５  金属ワイヤの高さ
６  樹脂厚
７  配線基板の裏面から半導体素子の裏面までの距離
８  接着テープ
９、１０  突起形状のあるステージ
１１  導電性ペーストよりなる配線
１２  ノズル
１３  マスク
１４  スキージ
１５  転写ローラ
１６  凸版
【図１】
0003576030.tif 000002
【図２】
0003576030.tif 000003
【図３】
0003576030.tif 000004
【図４】
0003576030.tif 000005
【図５】
0003576030.tif 000006
【図６】
0003576030.tif 000007
【図７】
0003576030.tif 000008